(57)【要約】【課題】テレビ通信で映像信号により本来の送信用映像データとともに任意の提供データを伝達するデータ提供方法において、コストアップを招かずに一度に大量の提供データを伝達できる方法を提供する。【解決手段】送信側では、任意の提供データを二次元コード化した二次元コードの映像を本来の送信用映像に合成し、合成した映像の映像信号を送信する。受信側では、前記映像信号をテレビが受信してＩ／Ｆ装置に出力する（Ｓ５，６）。Ｉ／Ｆ装置は映像信号から二次元コードの映像を抽出する動作を行い、二次元コードの映像データがあればパソコンに出力する（Ｓ７，８）。パソコンは前記映像データによる二次元コードをデコードし提供データを復元する。その際に提供データが暗号化されていて復号キーがあればそれで復号して復元する（Ｓ９〜１１）。【選択図】        図４
2004228720.tif 000002
【特許請求の範囲】
【請求項１】
送信側では、任意の提供データを二次元コード化した二次元コードの映像を本来の送信用映像に合成し、合成した映像の映像信号を送信し、
受信側では、前記映像信号を受信して該映像信号から前記二次元コードの映像を抽出し、該映像による二次元コードをデコードして前記提供データを取得することを特徴とするテレビ通信によるデータ提供方法。
【発明の詳細な説明】
【０００１】
【発明の属する技術分野】
本発明は、テレビ通信で映像信号により本来の送信用映像データとともに任意の提供データを伝達するテレビ通信によるデータ提供方法に関するものである。
【０００２】
【従来の技術】
従来、上記のテレビ通信によるデータ提供の例として、テレビ放送で本来の放送用映像データとともに文字データを映像信号で放送する文字多重放送が知られている。その方法として、例えば本来の放送用映像データの映像信号における特定の走査線の信号に文字データの信号を多重化して送信する方法が採用されている。
【０００３】
文字多重放送を受信可能なテレビ受信機では、受信した映像信号から文字データの信号を分離してデコーダで文字データとして復調し、文字データを表示する。その文字データをパソコン（パーソナルコンピュータ）で理解できるフォーマットに変換してパソコンへ出力し、パソコンで文字データを利用できるようにした構成が下記の特許文献１に記載されている。
【０００４】
【特許文献１】
特開平５−３２８３２０号公報
【０００５】
【発明が解決しようとする課題】
しかしながら、上記の従来の文字多重放送の方法では、一度に伝達できる提供データ（文字データ）の量が制限され、一度に大量の提供データを伝達することができないという問題があった。
【０００６】
そこで本発明の課題は、文字多重放送に限らず、テレビ通信で映像信号により本来の送信用映像データとともに任意の提供データを伝達するデータ提供方法において、実施するために従来の方法に比べてコストアップを招くことがない方法で、一度に大量の提供データを伝達することができる方法を提供することにある。
【０００７】
【課題を解決するための手段】
上記の課題を解決するため、本発明によれば、
テレビ通信によるデータ提供方法において、
送信側では、任意の提供データを二次元コード化した二次元コードの映像を本来の送信用映像に合成し、合成した映像の映像信号を送信し、
受信側では、前記映像信号を受信して該映像信号から前記二次元コードの映像を抽出し、該映像による二次元コードをデコードして前記提供データを取得する方法を採用した。
【０００８】
【発明の実施の形態】
以下、図を参照して本発明のテレビ通信によるデータ提供方法の実施の形態を説明する。
【０００９】
本実施形態でテレビ通信によるデータ提供を行うデータ提供システムでは、送信側はテレビ放送局とし、任意の提供データを二次元コード化した二次元コードの映像を本来の放送（送信）用映像に合成し、合成した映像の映像信号を放送する。受信側では、放送された映像信号を受信してその映像信号から前記の二次元コードの映像を抽出し、その映像の二次元コードをデコードして前記の提供データを取得する。受信側のシステム（以下、提供データ受信システムという）では、パソコンが制御可能なインターフェース装置をパソコンに二次元コードの映像を入力する入力装置として利用する。
【００１０】
図１は提供データ受信システムの概略構成を示している。図１において、１はテレビ受信機（以下、テレビと略す）、２はインターフェース装置（以下Ｉ／Ｆ装置と略す）、３はパソコン、４はプリンタ、５はパソコン３の通信用の入出力端子である。ここで、テレビ１、Ｉ／Ｆ装置２、パソコン３の間で映像信号の流れる経路をビデオチャンネルとしてＶ１，Ｖ２で表し、制御のための信号あるいはデータが流れる経路をデータチャンネルとしてＤ１，Ｄ２で表してある。また、パソコン３とプリンタ４の間で制御のための信号あるいは制御データや印刷データが流れる経路をデータチャンネルとしてＤ３で表してある。
【００１１】
テレビ１は、送信側のテレビ放送局から放送された上記の映像信号、すなわち、上記二次元コードの映像を本来の放送用映像に合成した映像の映像信号を受信し、その映像信号をビデオチャンネルＶ１を経由してＩ／Ｆ装置２に伝達する。この映像信号は、アナログあるいはデジタルのどちらでもよい。また、テレビ１は、これに設けられた制御用の入出力端子がデータチャンネルＤ１を介してＩ／Ｆ装置２と接続され、Ｉ／Ｆ装置２からデータチャンネルＤ１を介して前記入出力端子に入力される制御信号やデータにより動作が制御される。また、テレビ１は、内部に映像信号の記憶手段を備えたものとして、Ｉ／Ｆ装置２からの制御により、その記憶手段に記憶された映像信号のデータをビデオチャンネルＶ１経由でＩ／Ｆ装置２に出力するものとしてもよい。
【００１２】
Ｉ／Ｆ装置２は、ビデオチャンネルＶ２およびデータチャンネルＤ２でパソコン３と接続されている。そして、Ｉ／Ｆ装置２は、テレビ１からビデオチャンネルＶ１を介して入力された映像信号から先述した二次元コードの映像を抽出してパソコン３に出力する。その場合、二次元コードの映像をそのまま瞬時の映像信号すなわちライブ映像としてビデオチャンネルＶ２を介してパソコン３に伝達すること、或いは、二次元コードの静止画データとしてデータチャンネルＤ２を介してパソコン３に伝達することが可能である。
【００１３】
Ｉ／Ｆ装置２は、前記の静止画データを得るために、映像信号のデータを記憶するメモリ手段（具体的には後述の図３の比較回路１２に設けられる）を内蔵しており、パソコン３からの制御データに従い、ビデオチャンネルＶ１から順次１フレーム分ずつ入力される映像信号から抽出した複数フレーム分の二次元コードの映像データを上記メモリ手段に記憶する。そして、パソコン３からの別の制御データに従って、記憶した二次元コードの映像データ（静止画データ）をデータチャンネルＤ２を通じてパソコン３に入力する。
【００１４】
パソコン３は、ビデオチャンネルＶ２あるいはデータチャンネルＤ２から入力される瞬時の映像信号あるいは静止画の映像データの信号を二次元コードの映像信号として処理し、内蔵されたアプリケーションソフトにより前記映像信号の映像による二次元コードをデコードして提供データを取得する。また、パソコン３はＩ／Ｆ装置２に対して、データチャンネルＤ２を通じて、種々の制御データを伝送する。Ｉ／Ｆ装置２はこの制御データを解釈し、自身の動作を変更したり、テレビ１に制御データを伝達して、その動作を制御したりする。
【００１５】
プリンタ４はデータチャンネルＤ３を介してパソコンに接続され、パソコン３から入力される上記提供データなどの印刷データを印刷用紙に印刷する。
【００１６】
次に、図２はＩ／Ｆ装置２の構成を示すブロック図である。なお、ここでは二次元コードの映像データを静止画データとしてデータチャンネルＤ２に出力するための構成だけ示してある。
【００１７】
図２において、同期分離回路６はテレビ１から入力される映像信号から同期信号成分のみを抽出し、水平同期カウンタ７とクロック信号発生回路８に出力する。
【００１８】
水平同期カウンタ７は、同期分離回路６から入力される同期信号の内の水平同期信号をカウントし、そのカウント信号をクロックカウンタ９に出力する。
【００１９】
クロック信号発生回路９は、同期分離回路６から入力される同期信号の内の水平同期信号に同期して所定周波数、例えば６ＭＨｚのクロック信号を発生し、クロックカウンタ９に出力する。
【００２０】
クロックカウンタ９は、水平同期カウンタ７からのカウント信号とクロック信号発生回路９からのクロック信号に基づいて１水平走査期間の特定範囲内において映像信号をサンプルするためのサンプルパルスを発生し、データサンプリング回路１１に出力する。具体的には、例えば１水平走査線を４００の画素としたサンプルを行うための６ＭＨｚのサンプルパルスを出力する。ただし、このサンプルクロックは１Ｈ（水平走査期間）の全期間にわたって出力されるのではなく、画面上で提供データの２次元コードの映像が本来の放送用映像に合成される一部分（例えば、右上の部分）に対応する期間中のみ出力される。
【００２１】
一方、テレビ１から入力された映像信号は同期分離回路６を経てサンプリング用映像増幅回路１０で増幅され、データサンプリング回路１１に入力される。データサンプリング回路１１は、クロックカウンタ９からのサンプルパルスの出力に応答して、上記画面上の一部分に対応する期間中のみ映像増幅回路１０からの映像信号をサンプリングし、映像データとして１ビットの量子化データ列の信号を比較回路１２に出力する。
【００２２】
比較回路１２は、メモリを有し、データサンプリング回路１１から入力された一連の１ビットの量子化データ列を各フレーム毎に取り込んで記憶し、例えば３フレーム分のデータが入力された時点で、３フレーム分のデータを比較し、それぞれの同一のサンプル位置に同一のサンプルデータ（「０」か「１」）が存在するか否かを検出する。すなわち第１フレームから第３フレームについての比較処理において全部一致しているデータがあるか否かを検出する。そして、全部一致したデータがあったら、そのデータが二次元コードの映像データであるものとして、その映像データとこれの取り込みを指示するための制御信号ＯＮをデータ出力ＯＮ／ＯＦＦ回路１３に出力する。また、一致したデータがなかったら、二次元コードの映像データがないものとして、その取り込みを行わない旨の制御信号ＯＦＦを出力する。
【００２３】
データ出力ＯＮ／ＯＦＦ回路１３は、比較回路１２からの制御信号ＯＮに応答して、比較回路１２から出力される二次元コードの映像データを取り込み、パソコン３に出力する。また、比較回路１２からの制御信号ＯＦＦに応答して二次元コードの映像データの取り込みと出力を停止する。
【００２４】
自動／手動切替え装置１５は、データ出力ＯＮ／ＯＦＦ回路１３からの二次元コードの映像データの出力を行うタイミングを自動にする場合と手動にする場合に切り替えるものである。
【００２５】
また、検出位置モニタ１６は、データサンプリング回路１２によってサンプルされる映像信号の水平走査線上の特定領域、すなわち二次元コードの映像が本来の放送用映像に合成されている場合の二次元コードの映像領域を検出し、検出結果のデータをパソコン３に出力してパソコン３のディスプレイ上で上記特定領域を可視化するためのものである。
【００２６】
次に、本実施形態のデータ提供システムにおける提供データの送受信動作を図３と図４のフローチャートにより説明する。図３は送信側（テレビ放送局）の動作手順、図４は受信側の動作手順を示している。
【００２７】
送信側では、まず図３のステップＳ１で提供データがあるか否か判定し、あればステップＳ２で提供データを二次元コード化する。この際に提供データの種類などにより必要がある場合は提供データを暗号化してから二次元コード化する。暗号化することにより、受信側で暗号を復号するのに必要な復号キーの有無により提供データの取得が制限されるようにすることができる。
【００２８】
次にステップＳ３において、ステップＳ２で生成した二次元コードの映像データを本来の放送用映像データに合成する。例えば、二次元コードの映像を本来の放送用映像の画面上で右上の位置などに合成する。そして、ステップＳ４で上記の合成した映像データの映像信号を放送（送信）した後、動作を終了する。
【００２９】
また、ステップＳ１で提供データがなければステップＳ４にジャンプし、本来の放送用映像データのみの映像信号を放送した後、動作を終了する。
【００３０】
一方、受信側では、まず図４のステップＳ５でテレビ１が放送された映像信号を受信し、ステップＳ６でＩ／Ｆ装置２へ出力する。
【００３１】
次に、ステップＳ７でＩ／Ｆ装置２がテレビ１から入力された映像信号からの二次元コードの映像データの抽出動作を行い、先述した比較回路１２による比較で二次元コードの映像データの有無を判定する。
【００３２】
そして二次元コードの映像データがなければ動作終了となるが、あればステップＳ８でＩ／Ｆ装置２が二次元コードの映像データをパソコン３に出力する。
【００３３】
二次元コードの映像データを受け取ったパソコン３は、ステップＳ９で復号キーが必要か否か、すなわちその映像データによる二次元コードが提供データを暗号化して二次元コード化したものか否か判定する。そして復号キーが必要でない（暗号化されていない）場合はステップＳ１１に進むが、必要である（暗号化されている）場合はステップＳ１０に進む。
【００３４】
ステップＳ１０では復号キーがあるか否かを判定する。復号キーは必要に応じて予め与えられるものとする。そして復号キーがなければ動作を終了するが、あればステップＳ１１に進む。
【００３５】
ステップＳ１１ではパソコン３がステップＳ８で受け取った映像データによる二次元コードをデコードし、提供データを復元する。ここで提供データが暗号化されており、かつ復号キーがある場合は、二次元コードをデコードした結果のデータを復号キーで復号して提供データを復元する。
【００３６】
次に、ステップＳ１２で、上記の提供データが印刷すべきデータであるか否か判定し、印刷すべきデータであればステップＳ１４でその提供データをプリンタ４に出力し印刷用紙に印刷させた後、動作を終了する。また、印刷すべきデータでなければステップＳ１３で提供データをパソコン３のディスプレイに表示させた後、動作を終了する。
【００３７】
以上のような本実施形態のデータ提供方法によれば、小さな面積で大量のデータを表現することができる二次元コードを利用して提供データを送信側から受信側に伝達するので、一度に大量の提供データを伝達することができる。しかも、本実施形態の方法は、送信側も受信側も簡単な構成で実施することができ、実施する上で従来の方法に比べてコストアップを招くことがない。
【００３８】
なお、本実施形態では送信側がテレビ放送局であるものとしたが、特定の送信相手にのみ送信を行う送信局としてよい。
【００３９】
以上、本発明の実施形態を説明したが、本発明の趣旨と範囲は実施形態で説明したものに限定されないことは勿論である。本発明の実施態様の例を以下に列挙する。
【００４０】
［実施態様１］  送信側では、任意の提供データを二次元コード化した二次元コードの映像を本来の送信用映像に合成し、合成した映像の映像信号を送信し、受信側では、前記映像信号を受信して該映像信号から前記二次元コードの映像を抽出し、該映像による二次元コードをデコードして前記提供データを取得することを特徴とするテレビ通信によるデータ提供方法。
【００４１】
［実施態様２］  送信側で前記提供データを二次元コード化する際に暗号化しておくことにより、受信側で復号化のための復号キーの有無により前記提供データの取得が制限されるようにすることを特徴とする実施態様１に記載のテレビ通信によるデータ提供方法。
【００４２】
［実施態様３］  実施態様１に記載のテレビ通信によるデータ提供方法を実施する場合に送信される前記映像信号を受信する受信手段と、
該受信手段が受信した前記映像信号から前記二次元コードの映像を抽出する抽出手段と、
該抽出手段により抽出された映像による二次元コードをデコードして前記提供データを復元するデコード手段を有することを特徴とする提供データ受信システム。
【００４３】
［実施態様４］  表示手段を有し、前記デコード手段により復元した前記提供データを前記表示手段により表示することを特徴とする実施態様３に記載の提供データ受信システム。
【００４４】
［実施態様５］  印刷手段を有し、前記デコード手段により復元した前記提供データを前記印刷手段により印刷用紙に印刷することを特徴とする実施態様３に記載の提供データ受信システム。
【００４５】
【発明の効果】
以上の説明から明らかなように、本発明によれば、テレビ通信によるデータ提供方法において、送信側では、任意の提供データを二次元コード化した二次元コードの映像を本来の送信用映像に合成し、合成した映像の映像信号を送信し、受信側では、前記映像信号を受信して該映像信号から前記二次元コードの映像を抽出し、該映像による二次元コードをデコードして前記提供データを取得するようにしたので、一度に大量の提供データを伝達することができ、しかも簡単な構成で実施することができ、実施する上で従来の方法に比べてコストアップを招くことがないという優れた効果が得られる。
【図面の簡単な説明】
【図１】本発明の実施形態における提供データ受信システムの概略構成を示すブロック図である。
【図２】図１中のインターフェース装置の構成の詳細を示すブロック図である。
【図３】本発明の実施形態における送信側の動作手順を示すフローチャート図である。
【図４】本発明の実施形態における受信側の動作手順を示すフローチャート図である。
【符号の説明】
１  テレビ受信機
２  インターフェース装置
３  パソコン
４  プリンタ
５  通信用の入出力端子
６  同期分離回路
７  水平同期カウンタ
８  クロック信号発生回路
９  クロックカウンタ
１０  サンプリング用映像増幅回路
１１  データサンプリング回路
１２  比較回路
１３  データ出力ＯＮ／ＯＦＦ回路
１５  自動／手動切り替え装置
１６  検出位置モニタ
【図１】
2004228720.tif 000003
【図２】
2004228720.tif 000004
【図３】
2004228720.tif 000005
【図４】
2004228720.tif 000006